(57)【要約】【課題】フレームワークランプの提供。【解決手段】足フレームが、下から上端へと不断にまたたくランプロッドを支持し、該ランプロッドの上端に中空球体が設けられ、中空球体の内部の中央位置近くに炸裂式閃光を発生する閃光ランプが設けられ、並びに外向きに拡散フレームワーク効果を発生する複数の輻射ロッドが接合されている。該閃光ランプは電源降圧後に一つの個別の昇圧変圧器及びリレーにより駆動制御され、並びにすでに降圧した電源に、低電圧変圧器よりＣＰＵを透過して全ての他のランプ或いは直列ランプを制御させ、これにより包装体積を縮小し安全で屋外場所での長期使用に適したフレームワークランプを形成している。【選択図】        図１
2004152611.tif 000002
【特許請求の範囲】
【請求項１】
フレームワークランプにおいて、足フレームが、下から上端へと不断にまたたくランプロッドを支持し、該ランプロッドの上端に中空球体が設けられ、中空球体の内部の中央位置近くに炸裂式閃光を発生する閃光ランプが設けられ、並びに外向きに拡散フレームワーク効果を発生する複数の輻射ロッドが接合され、該フレームワークランプに導入される電源が変圧器で降圧されてからさらに一つのコントローラに連接され、該コントローラ内部の個別の昇圧変圧器及びリレーを透過して上述の閃光ランプが駆動制御され、並びにすでに降圧された電源に低電圧変圧器が組み合わされてＣＰＵを透過して全ての他の灯管或いは直列ランプが制御されることを特徴とする、フレームワークランプ。
【請求項２】
請求項１に記載のフレームワークランプにおいて、足フレームに複数の斜めに張られたメイン支持フレームが設けられ、これらメイン支持フレームの上端に一つの中間リングが設けられ、下端が下斜め角度を以て地面に固定され、各二つのメイン支持フレームの間が、地面からある適当な高度に設けられた横向き連接棒で連接され、これら横向き連接棒の間に一つの底基板が組み合わされて、ランプロッド底端の連接手段の接合に供され、該底基板が複数の接合辺を具えた一つの中間板と、該接合辺に対応する数量の多角形板で共同組成され、各多角形板がその一辺を以て中間板の一辺にヒンジで枢接され、該多角形板の別の一辺が横向き連接棒に組み合わされ、該多角形板と中間板、或いは横向き連接棒と足フレームの連接部分がネジ止めされたことを特徴とする、フレームワークランプ。
【請求項３】
請求項２に記載のフレームワークランプにおいて、中間板が三つの接合辺を具え、多角形板が反対に折って中間板の表面に重ね合わせられる三角板とされたことを特徴とする、フレームワークランプ。
【発明の詳細な説明】
【０００１】
【発明の属する技術分野】
本発明は一種のフレームワークランプの設計に係り、特に、フレームワークランプが直列閃光ランプの上端にあって炸裂効果を発生し、その使用の安全性を増加し、包装体積を縮小できる、フレームワークランプの設計に関する。
【０００２】
【従来の技術】
現在あるフレームワークランプは、直列閃光ランプが下から上に不断に閃光を発生した後、その上端に設けられた複数の輻射ロッドにより外向きに拡散するフレームワーク効果を形成する。一般には閃光を発生する直列ランプ或いは灯管が順にまたたくにすぎないが、実際に花火を打ち上げる時は、高空中で炸裂してから各種の状態に拡散する。このようなフレームワークランプはさまざまな広い場所で人の目を引きつける装飾機能を形成するが、現在あるフレームワークランプの使用時の装飾効果は、実際に花火を打ち上げた場合とは大きな違いがある。
【０００３】
過去に一種のフレームワークランプが提供されており、それは直立式灯管（ｆｉｒｉｎｇ  ｌａｍｐ）の上端に球体（ｓｕｐｐｏｒｔｉｎｇ  ｂａｌｌ）が設けられ、並びに該球体に複数の、閃光ランプ或いは直列ランプを連接した輻射ロッド（ｒａｄｉａｔｉｎｇ  ｌｅｖｅｒ）が連接されて、全体のフレームワークランプがこれにより通電後に、下から上に閃光を発生し、並びに球体を通り複数の輻射ロッドより外向きに拡散するフレームワーク効果を形成する（例えば特許文献１参照。）。しかしそれは依然として実際の花火の効果を形成することはできない。
【０００４】
このため、出願人はすでに一種のフレームワークランプを提供しており、それは、フレームワークランプの上端に閃光ランプを設け、直立式灯管部分に下から上に不断に閃光を発生させて上端に至らせた後、まず、炸裂式閃光を発生するようにし、さらに輻射ロッドで外向きに拡散するフレームワーク効果を発生させ、これにより全体のフレームワークランプの装飾効果を実際の花火に近づけ、このようなフレームワークランプの装飾効果を高めた（特許文献２参照。）
【０００５】
【特許文献１】
米国特許第６，３１２，１４１号明細書
【特許文献２】
米国特許出願第０９／９０６／７２７号明細書
【０００６】
【発明が解決しようとする課題】
このようなフレームワークランプの立設時の高度は約１．５ｍから３．０ｍの間とされ、各輻射ロッドの延伸長度は約０．６ｍから１．８ｍであり、このような大型の装飾ランプに炸裂式機能を持たせるために必要な関係電気部品は、放置や包装、運送において相当大きな体積を占拠する。このためいかに使用の安全性を増加し、包装体積を減少して運送コストを減らし収納に便利とするかが重要な課題である。
【０００７】
本発明の主要な目的は、一種のフレームワークランプを提供することにあり、それは、足フレームが、下から上端へと不断にまたたくランプロッドを支持し、該ランプロッドの上端に中空球体が設けられ、中空球体の内部の中央位置近くに炸裂式閃光を発生する閃光ランプが設けられ、並びに外向きに拡散フレームワーク効果を発生する複数の輻射ロッドが接合されている。該閃光ランプは電源降圧後に一つの個別の昇圧変圧器及びリレーにより駆動制御され、並びにすでに降圧した電源に、低電圧変圧器よりＣＰＵを透過して全ての他のランプ或いは直列ランプを制御させ、これにより包装体積を縮小し安全で屋外場所での長期使用に適したフレームワークランプを形成している。
【０００８】
本発明の好ましい実施例において、上述の足フレームは組合せ式とされ、全体のフレームワークランプの包装体積を縮減することができる。
【０００９】
【課題を解決するための手段】
請求項１の発明は、フレームワークランプにおいて、足フレームが、下から上端へと不断にまたたくランプロッドを支持し、該ランプロッドの上端に中空球体が設けられ、中空球体の内部の中央位置近くに炸裂式閃光を発生する閃光ランプが設けられ、並びに外向きに拡散フレームワーク効果を発生する複数の輻射ロッドが接合され、該フレームワークランプに導入される電源が変圧器で降圧されてからさらに一つのコントローラに連接され、該コントローラ内部の個別の昇圧変圧器及びリレーを透過して上述の閃光ランプが駆動制御され、並びにすでに降圧された電源に低電圧変圧器が組み合わされてＣＰＵを透過して全ての他の灯管或いは直列ランプが制御されることを特徴とする、フレームワークランプとしている。
請求項２の発明は、請求項１に記載のフレームワークランプにおいて、足フレームに複数の斜めに張られたメイン支持フレームが設けられ、これらメイン支持フレームの上端に一つの中間リングが設けられ、下端が下斜め角度を以て地面に固定され、各二つのメイン支持フレームの間が、地面からある適当な高度に設けられた横向き連接棒で連接され、これら横向き連接棒の間に一つの底基板が組み合わされて、ランプロッド底端の連接手段の接合に供され、該底基板が複数の接合辺を具えた一つの中間板と、該接合辺に対応する数量の多角形板で共同組成され、各多角形板がその一辺を以て中間板の一辺にヒンジで枢接され、該多角形板の別の一辺が横向き連接棒に組み合わされ、該多角形板と中間板、或いは横向き連接棒と足フレームの連接部分がネジ止めされたことを特徴とする、フレームワークランプとしている。
請求項３の発明は、請求項２に記載のフレームワークランプにおいて、中間板が三つの接合辺を具え、多角形板が反対に折って中間板の表面に重ね合わせられる三角板とされたことを特徴とする、フレームワークランプとしている。
【００１０】
【発明の実施の形態】
図１に示されるように、本発明は、足フレーム１０が、全体のフレームワークランプを必要な地面、場所に固定するのに供され、並びに該足フレーム１０が設定長度のランプロッド２０と、該ランプロッド２０上端に位置する中空球体３０を支持する。この中空球体３０には複数の輻射ロッド３１が組み合わされ、且つ中空球体３０の内部の中央位置近くに強烈な閃光を発生する閃光ランプ３２が設けられている。関係する電気的連接及び制御を透過し、ランプロッド２０が下から上に不断に閃光を発し、並びに上端の中空球体３０に至る時、炸裂式閃光を発生する。さらに複数の輻射ロッド３１により外向きの輻射閃光を発生し、全体のフレームワークランプの装飾効果が実際の花火に近づけられる。
【００１１】
図２、３に示されるように、本発明の足フレーム１０には三つの斜めに延伸されたメイン支持フレーム１１が設けられ、該メイン支持フレーム１１の上端に中間リング４０が組み付けられ、下端が斜め角度を以て地面に固定される。二つずつのメイン支持フレーム１１の間が地面からある適当な高度の位置に設けられた横向き連接棒１２により連接されている。これら横向き連接棒１２は正三角形フレームを形成し、その間に逆三角形底基板５０が組み合わされてランプロッド２０底端の連接手段の接合に供される。図４、５に示されるように、底基板５０は、三つの接合辺を具えた一つの中間板５１、三つの三角板５２、５３、５４が共同で形成する。各三角板５２、５３、５４はいずれもその一辺が中間板５１のそのうちの一辺とヒンジ５５で枢接されている。そのある一つの角は横向き連接棒１２に組み合わせられる。上述の三角板５２、５３、５４と中間板５１、或いは横向き連接棒１２と足フレーム１０の連接部分は、最も好ましくはネジにより連接されて、随時分解、組立が可能とされる。足フレーム１０の接地端１３は扁平とされて釘で地面に固定される。
【００１２】
上述の横向き連接棒１２と足フレーム１０は組合せ完成前に、小体積の個別ロッド部品とされる。底基板５０の各三角板５２、５３、５４は、その枢接用のヒンジ５５を動作の軸心として中間板５１の表面に折り返すことができ、小面積の構成部品とされ、有効に全体のフレームワークランプの包装体積を減らすことができる。
【００１３】
図２、３に示されるように、本発明の実施例にあって、底基板５０のやや上方位置に電気箱５６が設けられている。この電気箱５６は区画箱５７が組み合わされて、変圧器のような部品の設置に供される。
【００１４】
図６は本発明の電気フロー図である。電源コネクタ６０で引き込まれる電源は、まず変圧器６１で降圧され、さらにＩＣコントローラ７０を透過し、それぞれ閃光ランプ３２及びすべての灯管或いは直列ランプ８０が駆動制御される。本発明で２３０Ｖの電源を使用する場合を例として説明すると、変圧器６１は２３０Ｖ／２４Ｖ変圧器とされ、それがそれぞれＩＣコントローラ７０内部の２４Ｖ／２３０Ｖ昇圧変圧器７１、及び２４Ｖ／６Ｖの低電圧変圧器７２に連接されている。該昇圧変圧器７１はこれによりリレー７３を経由して閃光ランプ３２を制御する。低電圧変圧器７２はＣＰＵ７４及びその連接口及び駆動ユニット７５を透過しすでに降圧された電源７６が組み合わされることで全ての灯管或いは直列ランプ８０が制御される。
【００１５】
このような炸裂閃光効果を発生できるフレームワークランプは比較的高い電圧を必要とし長時間屋外で使用されるため、本発明は上述の実施方式により、単独の昇圧変圧器で閃光ランプを駆動操作し、比較的低電圧でその他の灯管或いは直列ランプを制御する。本発明は長期に屋外で運転しても高い安全性と信頼度を有する。
【００１６】
以上の実施例は本発明の実施範囲を限定するものではなく、本発明に基づきなしうる細部の修飾或いは改変は、いずれも本発明の請求範囲に属するものとする。
【００１７】
【発明の効果】
本発明のフレームワークランプは、足フレームが、下から上端へと不断にまたたくランプロッドを支持し、該ランプロッドの上端に中空球体が設けられ、中空球体の内部の中央位置近くに炸裂式閃光を発生する閃光ランプが設けられ、並びに外向きに拡散フレームワーク効果を発生する複数の輻射ロッドが接合されている。該閃光ランプは電源降圧後に一つの個別の昇圧変圧器及びリレーにより駆動制御され、並びにすでに降圧した電源に、低電圧変圧器よりＣＰＵを透過して全ての他のランプ或いは直列ランプを制御させ、これにより包装体積を縮小し安全で屋外場所での長期使用に適したフレームワークランプを形成している。
【００１８】
本発明の好ましい実施例において、上述の足フレームは組合せ式とされ、全体のフレームワークランプの包装体積を縮減することができる。
【図面の簡単な説明】
【図１】本発明の実施例の正面断面図である。
【図２】図１の足フレーム拡大立体図である。
【図３】図２の足フレームの分解図である。
【図４】図２の足フレームの底支持板の正面図である。
【図５】図４の足フレームの底支持板の背面図である。
【図６】本発明の実施例の電気フロー図である。
【符号の説明】
１０  足フレーム
２０  ランプロッド
３０  中空球体
３１  輻射ロッド
３２  閃光ランプ
１１  メイン支持フレーム
４０  中間リング
１２  横向き連接棒
５０  底基板
５１  中間板
５２、５３、５４  三角板
５５  ヒンジ
１３  接地端
５６  電気箱
６０  電源コネクタ
６１  ２３０Ｖ／２４Ｖ変圧器
７０  ＩＣコントローラ
８０  灯管或いは直列ランプ
７１  ２４Ｖ／２３０Ｖ昇圧変圧器
７２  ２４Ｖ／６Ｖ変圧器
７３  リレー
７４  ＣＰＵ
７５  ＣＰＵ連接口及び駆動ユニット
７６  降圧された電源
【図１】
2004152611.tif 000003
【図２】
2004152611.tif 000004
【図３】
2004152611.tif 000005
【図４】
2004152611.tif 000006
【図５】
2004152611.tif 000007
【図６】
2004152611.tif 000008